(57)【要約】【課題】装置構成に要する費用の増大を抑制しつつ複数の車載装置を統合的に操作する。【解決手段】音響装置１０は、入力操作部１３の現在地／ガイドキーまたは目的地キーによりナビゲーション動作の実行が指示された場合に入力操作部１３の操作部材から出力される操作信号をナビゲーションユニット１４に送信し、入力操作部１３のオーディオキーまたはメニューキーまたは表示設定キーによりナビゲーション動作以外の他の動作であって少なくともオーディオユニット１５によるオーディオ動作を含む所定動作の実行が指示された場合に入力操作部１３の操作部材から出力される操作信号をナビゲーションユニット１４に送信することを禁止する操作切替部１５ａと、ナビゲーション動作の実行が指示された場合と所定動作の実行が指示された場合とで、表示装置１１の表示に対する映像信号（ＮＡＶＩ）と映像信号（ＡＶ）とを切り替える表示切替部１５ｂとを備える。【選択図】図１
2010101790.tif 000002
【特許請求の範囲】
【請求項１】
表示装置と、操作手段と、
前記操作手段から出力される操作信号を受信してオーディオ制御をおこなうオーディオユニットと、
前記オーディオユニットに接続され、前記操作手段から出力される前記操作信号を前記オーディオユニットを介して受信してナビゲーション制御をおこなうナビゲーションユニットと、
前記ナビゲーションユニットによるナビゲーション動作の実行と、前記ナビゲーション動作以外の他の動作であって少なくとも前記オーディオユニットによるオーディオ動作を含む所定動作の実行とを指示する動作指示手段とを備え、
前記オーディオユニットは、
前記動作指示手段により前記ナビゲーション動作の実行が指示された場合に前記操作信号を前記ナビゲーションユニットに送信し、前記動作指示手段により前記所定動作の実行が指示された場合に前記操作信号を前記ナビゲーションユニットに送信することを禁止する操作切替手段と、
前記動作指示手段により前記ナビゲーション動作の実行が指示された場合に前記ナビゲーションユニットから出力される映像信号により前記表示装置の表示を実行させ、前記動作指示手段により前記所定動作の実行が指示された場合に前記映像信号以外の映像信号により前記表示装置の表示を実行させる表示切替手段と
を備えることを特徴とする音響装置。
【請求項２】
少なくとも１つのスピーカーを備え、
前記オーディオユニットは、前記ナビゲーションユニットから出力される音声信号を受信した場合に、前記オーディオユニットから前記スピーカーを介して出力する音響出力のうち少なくとも１つの前記スピーカーから出力される前記音響出力の音量を低下させ、前記音響出力の音量を低下させた前記スピーカーから前記音声信号に応じた音声を出力する音響切替手段を備えることを特徴とする請求項１に記載の音響装置。
【請求項３】
前記表示切替手段は、前記動作指示手段により前記ナビゲーション動作の実行が指示された場合に予め設定された所定画面を前記表示装置に表示させることを特徴とする請求項１または請求項２に記載の音響装置。
【発明の詳細な説明】
【技術分野】
【０００１】
本発明は、音響装置に関する。
【背景技術】
【０００２】
従来、例えばナビゲーション装置に加えて、空調装置およびオーディオ装置などの他の車載装置を統合的に操作可能とした車両用情報表示装置が知られている（例えば、特許文献１参照）。
【特許文献１】特開２００７−１９６９４９号公報
【発明の開示】
【発明が解決しようとする課題】
【０００３】
ところで、上記従来技術の一例に係る車両用情報表示装置では、ナビゲーション装置の一部を構成するコントロールユニットによって、他の車載装置の動作制御をおこなうことから、ナビゲーション装置を車両に搭載することが、いわば前提とされている。しかしながら、ナビゲーション装置は、例えば車両購入者の要望などに応じて他の車載装置に比べて車両搭載率が低くなる場合があるとともに、例えば世界の地域毎などに応じて仕様が多様化する可能性が高くなる場合があることから、ナビゲーション装置を車両に搭載することを前提として他の車載装置を統合的に操作可能にする場合には装置構成に要する費用が嵩む虞がある。
【０００４】
本発明は上記事情に鑑みてなされたもので、装置構成に要する費用の増大を抑制しつつ
複数の車載装置を統合的に操作することが可能な音響装置を提供することを目的とする。
【課題を解決するための手段】
【０００５】
上記課題を解決して係る目的を達成するために、本発明の第１態様に係る音響装置は、表示装置（例えば、実施の形態での表示装置１１）と、操作手段（例えば、実施の形態での操作部材２１）と、前記操作手段から出力される操作信号を受信してオーディオ制御をおこなうオーディオユニット（例えば、実施の形態でのオーディオユニット１５）と、前記オーディオユニットに接続され、前記操作手段から出力される前記操作信号を前記オーディオユニットを介して受信してナビゲーション制御をおこなうナビゲーションユニット（例えば、実施の形態でのナビゲーションユニット１４）と、前記ナビゲーションユニットによるナビゲーション動作の実行と、前記ナビゲーション動作以外の他の動作であって少なくとも前記オーディオユニットによるオーディオ動作を含む所定動作の実行とを指示する動作指示手段（例えば、実施の形態での現在地／ガイドキー２３ａ、目的地キー２３ｂ、オーディオキー２４ａ、メニューキー２４ｂ、表示設定キー２４ｃ）とを備え、前記オーディオユニットは、前記動作指示手段により前記ナビゲーション動作の実行が指示された場合に前記操作信号を前記ナビゲーションユニットに送信し、前記動作指示手段により前記所定動作の実行が指示された場合に前記操作信号を前記ナビゲーションユニットに送信することを禁止する操作切替手段（例えば、実施の形態での操作切替部１５ａ）と、前記動作指示手段により前記ナビゲーション動作の実行が指示された場合に前記ナビゲーションユニットから出力される映像信号（例えば、実施の形態での映像信号（ＮＡＶＩ））により前記表示装置の表示を実行させ、前記動作指示手段により前記所定動作の実行が指示された場合に前記映像信号以外の映像信号（例えば、実施の形態での映像信号（ＡＶ））により前記表示装置の表示を実行させる表示切替手段（例えば、実施の形態での表示切替部１５ｂ）とを備える。
【０００６】
さらに、本発明の第２態様に係る音響装置は、少なくとも１つのスピーカー（例えば、実施の形態でのスピーカー１２）を備え、前記オーディオユニットは、前記ナビゲーションユニットから出力される音声信号を受信した場合に、前記オーディオユニットから前記スピーカーを介して出力する音響出力のうち少なくとも１つの前記スピーカーから出力される前記音響出力の音量を低下させ、前記音響出力の音量を低下させた前記スピーカーから前記音声信号に応じた音声を出力する音響切替手段（例えば、実施の形態での音響切替部１５ｃ、切替部１６）を備える。
【０００７】
さらに、本発明の第３態様に係る音響装置では、前記表示切替手段は、前記動作指示手段により前記ナビゲーション動作の実行が指示された場合に予め設定された所定画面（例えば、実施の形態での目的地設定用画面、現在地表示用画面）を前記表示装置に表示させる。
【発明の効果】
【０００８】
本発明の第１態様に係る音響装置によれば、操作手段から出力される操作信号に応じたオーディオ制御およびナビゲーション制御の実行をオーディオユニットによって制御することができ、例えばオーディオユニットに比べて車両搭載率が低くなる場合があるナビゲーションユニットが省略された場合であっても、ナビゲーション動作以外の他の動作であって少なくともオーディオユニットによるオーディオ動作を含む所定動作を的確に実行することができる。また、例えばオーディオユニットに比べて仕様が多様化する可能性が高くなる場合があるナビゲーションユニットの仕様が変化した場合であっても、ナビゲーション動作以外の他の動作であって少なくともオーディオユニットによるオーディオ動作を含む所定動作と、ナビゲーション動作とを、統合的に適切に実行することができ、ナビゲーションユニットが操作信号によって不適切に動作してしまうことを防止することができる。
【０００９】
さらに、オーディオユニットは、ナビゲーション動作以外の他の動作であって少なくともオーディオユニットによるオーディオ動作を含む所定動作を実行する場合と、ナビゲーション動作を実行する場合とにおいて、表示装置の表示に係る映像信号を切り替えることから、例えばナビゲーション動作以外の他の動作であって少なくともオーディオユニットによるオーディオ動作を含む所定動作によって、ナビゲーション動作に係る表示装置の表示が変化してしまうことを防止することができ、ナビゲーション動作以外の他の動作であって少なくともオーディオユニットによるオーディオ動作を含む所定動作と、ナビゲーション動作とに加えて、表示装置を、統合的に適切に制御することができる。
【００１０】
さらに、本発明の第２態様に係る音響装置によれば、ナビゲーション動作以外の他の動作であって少なくともオーディオユニットによるオーディオ動作を含む所定動作と、ナビゲーション動作と、表示装置とに加えて、スピーカーを、統合的に適切に制御することができる。
【００１１】
さらに、本発明の第３態様に係る音響装置によれば、ナビゲーション動作の実行が指示された場合には所定画面を表示装置に表示させることから、例えばナビゲーション動作以外の他の動作であって少なくともオーディオユニットによるオーディオ動作を含む所定動作によって、ナビゲーション動作の実行が指示された場合の表示装置の表示が変化してしまうことを防止することができる。
【発明を実施するための最良の形態】
【００１２】
以下、本発明の音響装置の一実施形態について添付図面を参照しながら説明する。
本実施の形態による音響装置１０は、例えば、車両に搭載され、図１に示すように、表示装置１１と、複数のスピーカー１２と、入力操作部１３と、ナビゲーションユニット１４と、オーディオユニット１５とを備えて構成されている。
【００１３】
表示装置１１は、例えば車室内のインストルメントパネルなどにおいて運転者から視認可能な位置に設けられている。
表示装置１１には、ナビゲーションユニット１４から出力される映像信号（ＮＡＶＩ）と、オーディオユニット１５から出力される映像信号（ＡＶ）および映像切替信号とが入力されている。そして、表示装置１１は、映像信号（ＮＡＶＩ）と映像信号（ＡＶ）との切換を指示する映像切替信号に応じて映像信号（ＡＶ）または映像信号（ＮＡＶＩ）を選択し、選択した映像信号による表示を実行する。
【００１４】
複数のスピーカー１２は、例えば車室内の各座席付近に設けられ、プリアンプ１２ａを備えている。
プリアンプ１２ａは、例えば車室内前部座席付近のスピーカー１２と、例えば車室内後部座席付近のスピーカー１２とに接続され、オーディオユニット１５から出力される音響信号が入力されている。そして、オーディオユニット１５から出力される音響信号のうち、ナビゲーションユニット１４から音声信号が出力されたときに、この音声信号（割込音声信号）を伴う前部座席用の音響信号を車室内前部座席付近のスピーカー１２から出力し、ナビゲーションユニット１４から音声信号が出力されたときに、この音声信号（割込音声信号）を伴わない後部座席用の音響信号を車室内後部座席付近のスピーカー１２から出力する。
【００１５】
入力操作部１３は、例えば、車室内のインストルメントパネルにおいて表示装置１１から下方側にずれた位置など設けられ、図２に示すように、回転操作部材２１ａおよびスライド操作部材２１ｂを具備する操作部材２１と、所定のオーディオビジュアル動作（例えば、音量調整、ディスク操作、放送受信など）の実行を指示する複数の操作キーおよびダイヤルを具備するオーディオビジュアル（ＡＶ）操作部２２と、ナビゲーションユニット１４によるナビゲーション動作（例えば、表示装置１１での現在地表示、目的地設定、経路案内など）の実行を指示する複数の操作キー（例えば、現在地／ガイドキー２３ａ、目的地キー２３ｂなど）と、ナビゲーション動作以外の他の動作であって少なくともオーディオユニット１５によるオーディオ動作を含む所定動作（例えば、表示装置１１での再生リスト表示、メニュー表示、表示装置１１の表示設定など）の実行を指示する複数の操作キー（例えば、オーディオキー２４ａ、メニューキー２４ｂ、表示設定キー２４ｃなど）とを備えて構成されている。
【００１６】
略円筒状の回転操作部材２１ａは軸線周りに回転可能とされ、回転操作部材３１と同軸に回転操作部材３１の内部に配置された略円柱状のスライド操作部材３２は、軸線方向および軸線に直交する任意の方向に変位可能とされている。そして、回転操作部材２１ａは操作者による回転操作での回転角度および回転速度に応じた操作信号を出力し、スライド操作部材３２は操作者による押下操作または操作者によるスライド操作に応じた軸線に直交する方向の変位に応じた操作信号を出力する。
また、ナビゲーションユニット１４によるナビゲーション動作に係る操作キー（例えば、現在地／ガイドキー２３ａ、目的地キー２３ｂなど）は、操作者による押下操作に応じた動作指示信号を出力する。
また、ナビゲーション動作以外の他の動作であって少なくともオーディオユニット１５によるオーディオ動作を含む所定動作に係る操作キー（例えば、オーディオキー２４ａ、メニューキー２４ｂ、表示設定キー２４ｃなど）は、操作者による押下操作に応じた動作指示信号を出力する。
そして、入力操作部１３から出力された各操作信号および各動作指示信号はオーディオユニット１５に入力されている。
【００１７】
ナビゲーションユニット１４は、入力操作部１３から出力されてオーディオユニット１５に入力された後に、オーディオユニット１５から出力される操作信号および動作指示信号に応じて作動する。
これらの操作信号および動作指示信号は、入力操作部１３において、ナビゲーションユニット１４によるナビゲーション動作に係る操作キー（例えば、現在地／ガイドキー２３ａ、目的地キー２３ｂなど）が操作者によって押下操作されることで、音響装置１０の動作状態がナビゲーションモード状態となった場合にのみ、オーディオユニット１５から出力される。
そして、ナビゲーションユニット１４は、これらの操作信号および動作指示信号に応じて、ナビゲーション制御を実行し、映像信号（ＮＡＶＩ）を表示装置１１に出力し、音声信号および消音指示信号をオーディオユニット１５に出力する。
【００１８】
なお、ナビゲーションユニット１４は、例えば、人工衛星を利用して車両の位置を測定するためのＧＰＳ（Global Positioning System）信号などの測位信号を受信する測位信号アンテナ１４ａを備えている。また、ナビゲーションユニット１４には、車両のヨーレートおよび速度（車速）を検出する各センサ（図示略）から出力される検出信号が入力されている。
【００１９】
例えば入力操作部１３において目的地キー２３ｂが操作者によって押下操作されると、ナビゲーションユニット１４は、所定の目的地設定用画面を表示することを指示する映像信号（ＮＡＶＩ）を表示装置１１に出力する。表示装置１１で表示される所定の目的地設定用画面は、例えば、入力操作部１３の操作部材２１に対する操作者の入力操作に応じて選択可能な複数の入力キーを備え、入力操作部１３の操作部材２１から出力される操作信号はオーディオユニット１５を介してナビゲーションユニット１４に入力される。ナビゲーションユニット１４はオーディオユニット１５から受信した操作信号に応じて、操作者により選択された入力キーを取得し、取得した入力キーに応じて目的地を設定する。
【００２０】
また、例えば入力操作部１３において現在地／ガイドキー２３ａが操作者によって押下操作されると、ナビゲーションユニット１４は、測位信号アンテナ１４ａにより受信される測位信号によって、あるいは、車両のヨーレートおよび速度（車速）の検出信号に基づく自律航法の算出処理によって、車両の位置を取得する。そして、車両の位置と予め記憶している地図データとによりマップマッチングの処理を実行し、車両の位置を示す地図を有する所定の現在地表示用画面を表示することを指示する映像信号（ＮＡＶＩ）を表示装置１１に出力する。また、操作者などにより設定された目的地に対して経路探索や経路誘導などの処理を実行した場合には、車両の位置と経路とを示す地図を表示することを指示する映像信号（ＮＡＶＩ）を表示装置１１に出力するとともに、必要に応じて、経路誘導に対する所定のガイド音声などからなる音声信号と、この音声信号の出力時に所定のスピーカー１２（例えば、車室内前部座席付近のスピーカー１２など）において他の音響出力の音量を、例えば消音を含むレベルまで低下させることを指示する消音指示信号とを、オーディオユニット１５に出力する。
【００２１】
オーディオユニット１５は、例えば、操作切替部１５ａと、表示切替部１５ｂと、音響切替部１５ｃとを備えて構成され、入力操作部１３に接続されている。そして、入力操作部１３から出力される操作信号および動作指示信号はオーディオユニット１５に入力されている。
そして、オーディオユニット１５は、これらの操作信号および動作指示信号に応じて、オーディオ制御を実行し、映像信号（ＡＶ）を表示装置１１に出力し、音響信号およびナビゲーションユニット１４から出力される音声信号（割込音声信号）をスピーカー１２のプリアンプ１２ａに出力する。
【００２２】
例えば入力操作部１３においてオーディオキー２４ａが操作者によって押下操作されると、オーディオユニット１５は、所定のオーディオ画面を表示することを指示する映像信号（ＡＶ）を表示装置１１に出力する。表示装置１１で表示される所定のオーディオ画面は、例えば、入力操作部１３の操作部材２１に対する操作者の入力操作に応じて選択可能な複数の入力キーを備え、入力操作部１３の操作部材２１から出力される操作信号はオーディオユニット１５に入力される。オーディオユニット１５は操作部材２１から受信した操作信号に応じて、操作者により選択された入力キーを取得し、取得した入力キーに応じて楽曲や映像などの再生リストから、表示装置１１およびスピーカー１２により出力される再生対象を設定する。
【００２３】
また、例えば入力操作部１３においてメニューキー２４ｂが操作者によって押下操作されると、オーディオユニット１５は、所定のメニュー画面を表示することを指示する映像信号（ＡＶ）を表示装置１１に出力する。表示装置１１で表示される所定のメニュー画面は、例えば、入力操作部１３の操作部材２１に対する操作者の入力操作に応じて選択可能な複数の入力キーを備え、入力操作部１３の操作部材２１から出力される操作信号はオーディオユニット１５に入力される。オーディオユニット１５は操作部材２１から受信した操作信号に応じて、操作者により選択された入力キーを取得し、取得した入力キーに応じたメニュー項目に対応する制御を実行する。
【００２４】
また、例えば入力操作部１３において表示設定キー２４ｃが操作者によって押下操作されると、オーディオユニット１５は、所定の表示設定画面を表示することを指示する映像信号（ＡＶ）を表示装置１１に出力する。表示装置１１で表示される所定の表示設定画面は、例えば、入力操作部１３の操作部材２１に対する操作者の入力操作に応じて選択可能な複数の入力キーを備え、入力操作部１３の操作部材２１から出力される操作信号はオーディオユニット１５に入力される。オーディオユニット１５は操作部材２１から受信した操作信号に応じて、操作者により選択された入力キーを取得し、取得した入力キーに応じたメニュー項目（例えば、表示装置１１の表示画面の明るさ、コントラスト、色調など）に対応する制御を実行する。
【００２５】
オーディオユニット１５の操作切替部１５ａは、入力操作部１３において、ナビゲーションユニット１４によるナビゲーション動作に係る操作キー（例えば、現在地／ガイドキー２３ａ、目的地キー２３ｂなど）が操作者によって押下操作されることで、操作者による押下操作に応じた動作指示信号が入力操作部１３から出力されると、音響装置１０の動作状態をナビゲーションモード状態とする。そして、入力操作部１３から出力されてオーディオユニット１５に入力される操作信号および動作指示信号を、ナビゲーションユニット１４に出力することを許可し、先ず、音響装置１０の動作状態をナビゲーションモード状態へと変更するきっかけとなった動作指示信号をナビゲーションユニット１４に出力する。
【００２６】
また、操作切替部１５ａは、入力操作部１３において、ナビゲーション動作以外の他の動作であって少なくともオーディオユニット１５によるオーディオ動作を含む所定動作に係る操作キー（例えば、オーディオキー２４ａ、メニューキー２４ｂ、表示設定キー２４ｃなど）が操作者によって押下操作されることで、操作者による押下操作に応じた動作指示信号が入力操作部１３から出力されると、音響装置１０の動作状態をナビゲーションモード以外の状態とする。そして、入力操作部１３から出力されてオーディオユニット１５に入力される操作信号および動作指示信号を、ナビゲーションユニット１４に出力することを禁止する。
【００２７】
オーディオユニット１５の表示切替部１５ｂは、操作切替部１５ａにおいて音響装置１０の動作状態がナビゲーションモード状態とされた場合に、表示装置１１の表示を、ナビゲーションユニット１４から出力される映像信号（ＮＡＶＩ）に応じた表示とすることを指示する映像切替信号を、表示装置１１に出力する。
また、表示切替部１５ｂは、操作切替部１５ａにおいて音響装置１０の動作状態がナビゲーションモード以外の状態とされた場合に、表示装置１１の表示を、ナビゲーションユニット１４以外から出力される映像信号、つまりオーディオユニット１５から出力される映像信号（ＡＶ）に応じた表示とすることを指示する映像切替信号を、表示装置１１に出力する。
なお、映像切替信号は、映像信号（ＮＡＶＩ）および映像信号（ＡＶ）の解像度が異なる場合には、映像切替と共に解像度の切り換えを指示する。
【００２８】
オーディオユニット１５の音響切替部１５ｃは、操作切替部１５ａにおいて音響装置１０の動作状態がナビゲーションモード状態とされた場合に、ナビゲーションユニット１４から音声信号が出力されると、この音声信号（割込音声信号）を所定のスピーカー１２（例えば、車室内前部座席付近のスピーカー１２など）から出力させるようにしてスピーカー１２のプリアンプ１２ａに出力する。このとき、既に、音響信号を所定のスピーカー１２（例えば、車室内前部座席付近のスピーカー１２など）のプリアンプ１２ａに出力している状態で、ナビゲーションユニット１４から音声信号とともに消音指示信号が出力された場合には、音響信号の音量を、例えば消音を含むレベルまで低下させて、この音量が低下した音響信号に音声信号（割込音声信号）が重畳するようにして、音声信号（割込音声信号）を伴う音響信号を所定のスピーカー１２（例えば、車室内前部座席付近のスピーカー１２など）から出力させるようにしてスピーカー１２のプリアンプ１２ａに出力する。
【００２９】
この実施の形態による音響装置１０は上記構成を備えており、次に、この音響装置１０の動作について説明する。
【００３０】
先ず、例えば図３に示すステップＳ０１においては、ナビゲーションキー、つまりナビゲーション動作に係る操作キー（例えば、現在地／ガイドキー２３ａ、目的地キー２３ｂなど）が操作者による押下操作されたか否かを判定する。
この判定結果が「ＮＯ」の場合には、エンドに進む。
一方、この判定結果が「ＹＥＳ」の場合には、ステップＳ０２に進む。
【００３１】
そして、ステップＳ０２においては、この時点で表示装置１１に表示されている画面に係る画面モードを取得する。この画面モードは、例えば、映像信号（ＮＡＶＩ）に応じたナビゲーション画面が表示されるモード、または、映像信号（ＡＶ）に応じた各画面（例えば、オーディオ画面、メニュー画面、表示設定画面など）が表示されるモードである。
【００３２】
そして、ステップＳ０３においては、画面モードがナビゲーション画面以外の各画面（例えば、オーディオ画面、メニュー画面、表示設定画面など）のモードであるか否かを判定する。
この判定結果が「ＮＯ」の場合には、後述するステップＳ０５に進む。
一方、この判定結果が「ＹＥＳ」の場合には、ステップＳ０４に進む。
そして、ステップＳ０４においては、表示装置１１の表示を、ナビゲーションユニット１４から出力される映像信号（ＮＡＶＩ）に応じた表示とすることを指示すると共に、入力操作部１３から出力されてオーディオユニット１５に入力される操作信号および動作指示信号を、ナビゲーションユニット１４に出力することを許可する。
【００３３】
そして、ステップＳ０５においては、音響装置１０の動作状態をナビゲーションモード状態へと変更するきっかけとなった動作指示信号（つまり、ナビゲーションキー（例えば、現在地／ガイドキー２３ａまたは目的地キー２３ｂ）のキーコード）をナビゲーションユニット１４に出力する。
【００３４】
そして、ステップＳ０６においては、表示装置１１にナビゲーションキーのキーコードに応じたナビゲーション画面（例えば、現在地／ガイドキー２３ａに対応する現在地表示用画面または目的地キー２３ｂに対応する目的地設定用画面）を表示し、エンドに進み、処理を終了する。
【００３５】
また、例えば図４に示すステップＳ１１においては、ナビゲーション動作以外の他の動作であって少なくともオーディオユニット１５によるオーディオ動作を含む所定動作（例えば、表示装置１１での再生リスト表示、メニュー表示、表示装置１１の表示設定など）の実行を指示する複数の操作キー（例えば、オーディオキー２４ａ、メニューキー２４ｂ、表示設定キー２４ｃなど）が操作者による押下操作されたか否かを判定する。
この判定結果が「ＮＯ」の場合には、エンドに進む。
一方、この判定結果が「ＹＥＳ」の場合には、ステップＳ１２に進む。
【００３６】
そして、ステップＳ１２においては、この時点で表示装置１１に表示されている画面に係る画面モードを取得する。この画面モードは、例えば、映像信号（ＮＡＶＩ）に応じたナビゲーション画面が表示されるモード、または、映像信号（ＡＶ）に応じた各画面（例えば、オーディオ画面、メニュー画面、表示設定画面など）が表示されるモードである。
【００３７】
そして、ステップＳ１３においては、画面モードがナビゲーション画面のモードであるか否かを判定する。
この判定結果が「ＮＯ」の場合には、後述するステップＳ１５に進む。
一方、この判定結果が「ＹＥＳ」の場合には、ステップＳ１４に進む。
そして、ステップＳ１４においては、表示装置１１の表示を、オーディオユニット１５から出力される映像信号（ＡＶ）に応じた表示とすることを指示すると共に、入力操作部１３から出力されてオーディオユニット１５に入力される操作信号および動作指示信号を、ナビゲーションユニット１４に出力することを禁止する。
【００３８】
そして、ステップＳ１５においては、表示装置１１に各操作キーのキーコードに応じた各画面（例えば、オーディオキー２４ａに対応するオーディオ画面またはメニューキー２４ｂに対応するメニュー画面または表示設定キー２４ｃに応じた表示設定画面など）を表示し、エンドに進み、処理を終了する。
【００３９】
上述したように、本実施の形態による音響装置１０によれば、入力操作部１３から出力される操作信号に応じたオーディオ制御およびナビゲーション制御の実行をオーディオユニット１５によって制御することができ、例えばオーディオユニット１５に比べて車両搭載率が低くなる場合があるナビゲーションユニット１４が省略された場合であっても、ナビゲーション動作以外の他の動作であって少なくともオーディオユニット１５によるオーディオ動作を含む所定動作を的確に実行することができる。また、例えばオーディオユニット１５に比べて仕様が多様化する可能性が高くなる場合があるナビゲーションユニット１４の仕様が変化した場合であっても、ナビゲーション動作以外の他の動作であって少なくともオーディオユニット１５によるオーディオ動作を含む所定動作と、ナビゲーション動作とを、統合的に適切に実行することができ、ナビゲーションユニット１４が操作信号によって不適切に動作してしまうことを防止することができる。
【００４０】
さらに、オーディオユニット１５は、ナビゲーション動作以外の他の動作であって少なくともオーディオユニット１５によるオーディオ動作を含む所定動作を実行する場合と、ナビゲーション動作を実行する場合とにおいて、表示装置１１の表示に係る映像信号を切り替えることから、例えばナビゲーション動作以外の他の動作によって、ナビゲーション動作に係る表示装置１１の表示が変化してしまうことを防止することができ、ナビゲーション動作以外の他の動作と、ナビゲーション動作とに加えて、表示装置１１を、統合的に適切に制御することができる。
【００４１】
さらに、オーディオユニット１５は、音響信号を所定のスピーカー１２（例えば、車室内前部座席付近のスピーカー１２など）のプリアンプ１２ａに出力している状態で、ナビゲーションユニット１４から音声信号とともに消音指示信号が出力された場合には、音響信号の音量を、例えば消音を含むレベルまで低下させて、この音量が低下した音響信号に音声信号（割込音声信号）が重畳するようにして、音声信号（割込音声信号）を伴う音響信号を所定のスピーカー１２（例えば、車室内前部座席付近のスピーカー１２など）から出力させることから、ナビゲーション動作以外の他の動作と、ナビゲーション動作と、表示装置１１とに加えて、スピーカー１２を、統合的に適切に制御することができる。
【００４２】
さらに、オーディオユニット１５は、ナビゲーション動作の実行が指示された場合には所定画面（例えば、現在地／ガイドキー２３ａに対応する現在地表示用画面または目的地キー２３ｂに対応する目的地設定用画面）を表示装置１１に表示させることから、例えばナビゲーション動作以外の他の動作によって、ナビゲーション動作の実行が指示された場合の表示装置１１の表示が変化してしまうことを防止することができる。
【００４３】
なお、上述した実施の形態において、オーディオユニット１５は音響切替部１５ｃを備えるとしたが、これに限定されず、例えば図５に示す上述した実施の形態の変形例の音響装置１０のように、音響切替部１５ｃを省略し、オーディオユニット１５の外部に切替部１６を備えてもよい。
【００４４】
この変形例の音響装置１０では、ナビゲーションユニット１４から出力される映像信号（ＮＡＶＩ）および音声信号および消音指示信号は切替部１６に入力されている。そして、オーディオユニット１５から出力される映像信号（ＡＶ）は切替部１６に入力されている。
また、オーディオユニット１５は、例えば、車室内後部座席付近のスピーカー１２（つまり、ナビゲーションユニット１４から出力される音声信号を出力させないスピーカー１２）から出力させる音響信号を直接的にスピーカー１２のプリアンプ１２ａに出力し、車室内前部座席付近のスピーカー１２（つまり、ナビゲーションユニット１４から出力される音声信号を出力させるスピーカー１２）から出力させる音響信号を切替部１６に出力する。
さらに、オーディオユニット１５は、操作切替部１５ａにおいて音響装置１０の動作状態がナビゲーションモード状態とされた場合に、入力操作部１３から出力される操作信号および動作指示信号に応じて、ナビゲーションユニット１４から音声信号が出力されるときに、この音声信号が重畳される音響信号の音量を、音声信号が重畳される前後において切り替えることを指示する音量切替信号を切替部１６に出力する。
【００４５】
切替部１６は、ナビゲーションユニット１４から出力される映像信号（ＮＡＶＩ）およびオーディオユニット１５から出力される映像信号（ＡＶ）を表示装置１１に出力する。
また、切替部１６は、オーディオユニット１５から出力される音響信号を所定のスピーカー１２（例えば、車室内前部座席付近のスピーカー１２など）のプリアンプ１２ａに出力する。
また、切替部１６は、ナビゲーションユニット１４から音声信号が出力されると、この音声信号（割込音声信号）を所定のスピーカー１２（例えば、車室内前部座席付近のスピーカー１２など）から出力させるようにしてスピーカー１２のプリアンプ１２ａに出力する。このとき、既に、オーディオユニット１５から出力される音響信号を所定のスピーカー１２（例えば、車室内前部座席付近のスピーカー１２など）のプリアンプ１２ａに出力している状態で、ナビゲーションユニット１４から音声信号とともに消音指示信号が出力された場合には、オーディオユニット１５から出力される音量切替信号に応じて音響信号の音量を、例えば消音を含むレベルまで低下させて、この音量が低下した音響信号に音声信号（割込音声信号）が重畳するようにして、音声信号（割込音声信号）を伴う音響信号を所定のスピーカー１２（例えば、車室内前部座席付近のスピーカー１２など）から出力させるようにしてスピーカー１２のプリアンプ１２ａに出力する。
【図面の簡単な説明】
【００４６】
【図１】本発明の一実施形態に係る音響装置の構成図である。
【図２】本発明の一実施形態に係る音響装置の入力操作部の構成図である。
【図３】本発明の一実施形態に係る音響装置の動作を示すフローチャートである。
【図４】本発明の一実施形態に係る音響装置の動作を示すフローチャートである。
【図５】本発明の実施形態の変形例に係る音響装置の構成図である。
【符号の説明】
【００４７】
１０  音響装置
１１  表示装置
１２  スピーカー
１４  ナビゲーションユニット
１５  オーディオユニット
１５ａ  操作切替部（操作切替手段）
１５ｂ  表示切替部（表示切替手段）
１５ｃ  音響切替部（音響切替手段）
１６  切替部（音響切替手段）
２１  操作部材（操作手段）
２３ａ  現在地／ガイドキー（動作指示手段）
２３ｂ  目的地キー（動作指示手段）
２４ａ  オーディオキー（動作指示手段）
２４ｂ  メニューキー（動作指示手段）
２４ｃ  表示設定キー（動作指示手段）
【図１】
2010101790.tif 000003
【図２】
2010101790.tif 000004
【図３】
2010101790.tif 000005
【図４】
2010101790.tif 000006
【図５】
2010101790.tif 000007